(57)【要約】【課題】刃物の安全性を高めて使い易くし、刃物を研磨した後の切れ味を良くして耐久性が高く、角度調整可能な砥石式電動刃研ぎ機を提供する。【解決手段】角度調整可能な砥石式電動刃研ぎ機は、駆動アセンブリ１、補助研磨アセンブリ２及び研磨部材３を備える。駆動アセンブリ１は、駆動部材１２と、その頂端に取り付けられたチャック１３とを内部に有する外支持体１１を含む。補助研磨アセンブリ２は、ベース２１を有する。ベース２１は、組立孔２２を有するとともに、外支持体１１上に取り付けられる。組立孔２２は、チャック１３の上方に位置し組立孔２２の両側には、互いに対をなす案内ブロック２３がそれぞれ設けられる。研磨部材３は、交換可能にチャック１３上に取り付けられるとともに、テーパ状の研磨体３１を有し、研磨体３１は、表面に設けられた研磨面３１１と、底部に設けられた組立本体３２とを有する。【選択図】図１
0003209108.tif 000002
【実用新案登録請求の範囲】
【請求項１】
駆動アセンブリ、補助研磨アセンブリ及び研磨部材を備えた角度調整可能な砥石式電動刃研ぎ機であって、
前記駆動アセンブリは、駆動部材と、該駆動部材の頂端に取り付けられたチャックと、を内部に有する外支持体を含み、
前記補助研磨アセンブリは、ベースを有し、該ベースは、組立孔を有するとともに、前記外支持体上に取り付けられ、前記組立孔は、前記チャックの上方に位置し、前記ベースに形成された前記組立孔の両側には、互いに対をなす案内ブロックがそれぞれ設けられ、前記案内ブロックは互いに対称的であり、前記案内ブロックの互いに対向する側面には、垂直の案内面が上部に設けられ、内側に凹んだ切欠が下部に設けられ、
前記研磨部材は、交換可能にチャック上に取り付けられるとともに、テーパ状の研磨体を有し、該研磨体は、表面に設けられた研磨面と、底部に設けられた組立本体と、を有し、
前記組立本体は、前記組立孔に挿通されて前記チャックに取り付けられ、前記組立本体が前記チャックに取り付けられると、前記案内ブロック間に前記研磨体が位置し、前記案内面の下方に前記研磨面が位置することを特徴とする角度調整可能な砥石式電動刃研ぎ機。
【請求項２】
前記駆動部材は、回転数を制御する回転速度制御器と、電力を供給する電源と電気的に接続され、
前記回転速度制御器は、ＰＷＭ制御器を使用し、
前記駆動アセンブリの前記駆動部材は、電力を供給する電源と電気的に接続されることを特徴とする請求項１に記載の角度調整可能な砥石式電動刃研ぎ機。
【請求項３】
前記駆動アセンブリの前記外支持体の頂面の対をなす２つの隅部には、位置規制斜めブロックがそれぞれ設けられ、前記外支持体の両側面には、内固定孔がそれぞれ形成され、
前記補助研磨アセンブリの前記ベースは、下向きのコ字状に成形され、前記ベースの対をなす２つの隅部には、前記位置規制斜めブロックがそれぞれ設けられ、
前記下向きのコ字状に成形されたベースの下向きに延びた両側面には、外固定孔がそれぞれ形成され、前記外固定孔を介して前記外支持体上に前記ベースが取り付けられると、各位置規制テーパ面が各前記位置規制斜めブロックの斜面に接合され、各前記外固定孔が各前記内固定孔とそれぞれ連通し、各前記外固定孔と各前記内固定孔とに固定ピンが挿入されて固定されることを特徴とする請求項１に記載の角度調整可能な砥石式電動刃研ぎ機。
【考案の詳細な説明】
【技術分野】
【０００１】
本考案は、角度調整可能な砥石式電動刃研ぎ機に関するものであり、さらに詳しくは、刃物を研磨するのに用いる研磨構造に関するものである。
【背景技術】
【０００２】
従来の刃物を研磨する工具には、一般に広く使用されている砥石の他、回転ホイールにより研磨する刃物研ぎ器がある。砥石で刃物を研ぐ場合、使用するための技術が必要であり、使用者は刃物を研ぐ角度及び力を自ら制御しなければ、刃物を研磨し過ぎて刃物が脆弱となったり、研磨不足により刃物の刃先が鈍くなったりするため、一般の主婦にとっては扱いにくく、切り傷などの怪我を負い易かった。
【０００３】
回転ホイールにより研磨する刃研ぎ機の大部分は、少なくとも１個以上の研磨ホイールを有する上、研磨ホイール上に形成された凹溝に刃物を入れ、研磨ホイールを回転させて刃物を研磨する。刃研ぎ機を使用すると、刃物の刃先を研磨することができるが、刃物の刃先のみを研磨する場合、使い始めのうちは効果が好ましいが、使い続けるうちに刃物を如何に研磨したとしても理想的でなくなり、刃物の寿命が短縮することが指摘された。  
【考案の概要】
【考案が解決しようとする課題】
【０００４】
本考案の主な課題は、刃物の安全性を高めて使い易くし、刃物を研磨した後の切れ味を良くして耐久性が高く、角度調整可能な砥石式電動刃研ぎ機を提供することにある。
【課題を解決するための手段】
【０００５】
本考案者は、前記の課題を解決するために鋭意検討を重ねた結果、下記の通りの要旨の考案を提案するに至った。
すなわち、本考案の要旨は、次の(１)〜（３）に示す通りである。
【０００６】
（１）駆動アセンブリ、補助研磨アセンブリ及び研磨部材を備えた角度調整可能な砥石式電動刃研ぎ機であって、
前記駆動アセンブリは、駆動部材と、該駆動部材の頂端に取り付けられたチャックと、を内部に有する外支持体を含み、
前記補助研磨アセンブリは、ベースを有し、該ベースは、組立孔を有するとともに、前記外支持体上に取り付けられ、前記組立孔は、前記チャックの上方に位置し、前記ベースに形成された前記組立孔の両側には、互いに対をなす案内ブロックがそれぞれ設けられ、前記案内ブロックは互いに対称的であり、前記案内ブロックの互いに対向する側面には、垂直の案内面が上部に設けられ、内側に凹んだ切欠が下部に設けられ、
前記研磨部材は、交換可能にチャック上に取り付けられるとともに、テーパ状の研磨体を有し、該研磨体は、表面に設けられた研磨面と、底部に設けられた組立本体と、を有し、
前記組立本体は、前記組立孔に挿通されて前記チャックに取り付けられ、前記組立本体が前記チャックに取り付けられると、前記案内ブロック間に前記研磨体が位置し、前記案内面の下方に前記研磨面が位置することを特徴とする角度調整可能な砥石式電動刃研ぎ機。
【０００７】
（２）前記駆動部材は、回転数を制御する回転速度制御器と、電力を供給する電源と電気的に接続され、
前記回転速度制御器は、ＰＷＭ制御器を使用し、
前記駆動アセンブリの前記駆動部材は、電力を供給する電源と電気的に接続されることを特徴とする前記（１）に記載の角度調整可能な砥石式電動刃研ぎ機。
【０００８】
（３）前記駆動アセンブリの前記外支持体の頂面の対をなす２つの隅部には、位置規制斜めブロックがそれぞれ設けられ、前記外支持体の両側面には、内固定孔がそれぞれ形成され、
前記補助研磨アセンブリの前記ベースは、下向きのコ字状に成形され、前記ベースの対をなす２つの隅部には、前記位置規制斜めブロックがそれぞれ設けられ、
前記下向きのコ字状に成形されたベースの下向きに延びた両側面には、外固定孔がそれぞれ形成され、前記外固定孔を介して前記外支持体上に前記ベースが取り付けられると、各位置規制テーパ面が各前記位置規制斜めブロックの斜面に接合され、各前記外固定孔が各前記内固定孔とそれぞれ連通し、各前記外固定孔と各前記内固定孔とに固定ピンが挿入されて固定されることを特徴とする前記（１）に記載の角度調整可能な砥石式電動刃研ぎ機。
【考案の効果】
【０００９】
本考案は、前記の通りの構成からなり、刃物を研ぐ場合の研磨面の角度調整が可能であり、高度な研磨を行うことができ、研磨後の刃物の切れ味が良く、耐久性も高いという効果を奏することができる。
【図面の簡単な説明】
【００１０】
【図１】図１は、本考案の一実施形態に係る角度調整可能な砥石式電動刃研ぎ機を組み立てる前の状態を示す分解斜視図である。
【図２】図２は、本考案の一実施形態に係る角度調整可能な砥石式電動刃研ぎ機を組み立てた後の状態を示す斜視図である。
【図３】図３は、本考案の一実施形態に係る角度調整可能な砥石式電動刃研ぎ機により刃物を研ぐときの状態を示す断面図である。
【図４】図４は、本考案の一実施形態に係る角度調整可能な砥石式電動刃研ぎ機の研磨部材の第１種テーパ角度を示す断面図である。
【図５】図５は、本考案の一実施形態に係る角度調整可能な砥石式電動刃研ぎ機の研磨部材の第２種テーパ角度を示す断面図である。
【図６】図６は、本考案の一実施形態に係る角度調整可能な砥石式電動刃研ぎ機の研磨部材の第３種テーパ角度を示す断面図である。
【考案を実施するための形態】
【００１１】
図１及び図２を参照する。図１及び図２に示すように、本考案の一実施形態に係る角度調整可能な砥石式電動刃研ぎ機は、少なくとも駆動アセンブリ１、補助研磨アセンブリ２及び研磨部材３から構成されてなる。
【００１２】
駆動アセンブリ１は、外支持体１１を有する。外支持体１１は、フレーム又はケースでもよい。本実施形態の外支持体１１はケースである。外支持体１１は、駆動部材１２と、駆動部材１２の頂端に取り付けられたチャック１３と、駆動部材１２と電気的に接続されて回転数を制御する回転速度制御器１４と、駆動部材１２と電気的に接続されて電力を供給する電源１５と、を有する。外支持体１１の頂面の対をなす２つの隅部には、位置規制斜めブロック１１１がそれぞれ設けられる。外支持体１１の両側面には、内固定孔１１２がそれぞれ形成される。
【００１３】
補助研磨アセンブリ２は、下向きのコ字状のベース２１を有する。ベース２１には、組立孔２２が形成される。ベース２１は、外支持体１１上に取り付けられる。組立孔２２は、チャック１３の上方に位置する。ベース２１に形成された組立孔２２の両側には、対をなす案内ブロック２３がそれぞれ設けられる。２つの案内ブロック２３は互いに対称的であり、２つの案内ブロック２３の互いに対向する側面には、垂直の案内面２４が上部に設けられ、内側に凹んだ切欠２５が下部に設けられる。本実施形態のベース２１の互いに対をなす２つの隅部には、位置規制テーパ面２１１がそれぞれ設けられる。下向きのコ字状に成形されたベース２１の下向きに延びた両側面には、外固定孔２１２がそれぞれ形成され、外固定孔２１２を介して外支持体１１上にベース２１が取り付けられると、各位置規制テーパ面２１１が各位置規制斜めブロック１１１の斜面に接合され、各外固定孔２１２が各内固定孔１１２とそれぞれ連通する。各外固定孔２１２と各内固定孔１１２とに固定ピン２１３が挿入されて固定される。
【００１４】
研磨部材３は、チャック１３上に交換可能に取り付けられるとともに、テーパ状の研磨体３１を有する。研磨体３１は、研磨材料からなるとともに、研磨に適した研磨面３１１が表面に設けられる。研磨体３１の底部には組立本体３２が設けられる。組立本体３２は、組立孔２２に挿通されてチャック１３に取り付けられる。組立本体３２がチャック１３に取り付けられると、２つの案内ブロック２３間に研磨体３１が位置し、案内面２４の下方に研磨面３１１が位置する。
【００１５】
図３を参照する。以下、本考案の一実施形態に係る角度調整可能な砥石式電動刃研ぎ機の操作方式について図３に基づいて説明する。図３に示すように、刃物を研磨する際、まず、駆動部材１２を駆動させる。駆動部材１２を駆動させると、チャック１３及び研磨部材３が回転し、案内ブロック２３の案内面２４に当接するように刃４を徐々に下向きに入れ、回転している研磨体３１の研磨面３１１に軽く当てるだけで刃４を研磨して切れ味を良くすることができる。また、他方の案内ブロック２３の案内面２４に当接するように刃４を入れた場合、刃４の他面を研磨することもできる。
【００１６】
図４〜図６を参照する。図４〜図６に示すように、本考案の一実施形態に係る角度調整可能な砥石式電動刃研ぎ機は、研磨部材３の研磨体３１を、テーパ角度が異なる他の研磨体３１と交換し、研磨体３１の両側に配設された案内ブロック２３の案内面２４を研磨面３１１の上方に対応させてもよい。
【符号の説明】
【００１７】
１  駆動アセンブリ
２  補助研磨アセンブリ
３  研磨部材
４  刃
１１  外支持体
１２  駆動部材
１３  チャック
１４  回転速度制御器
１５  電源
２１  ベース
２２  組立孔
２３  案内ブロック
２４  案内面
２５  切欠
３１  研磨体
３２  組立本体
１１１  位置規制斜めブロック
１１２  内固定孔
２１１  位置規制テーパ面
２１２  外固定孔
２１３  固定ピン
３１１  研磨面
【図１】
0003209108.tif 000003
【図２】
0003209108.tif 000004
【図３】
0003209108.tif 000005
【図４】
0003209108.tif 000006
【図５】
0003209108.tif 000007
【図６】
0003209108.tif 000008